(57)【要約】［課題］読取用無線の周波数帯が異なる複数の国（仕向け国）においても、読取可能な無線ＩＣタグを提供する。［解決手段］本発明の無線ＩＣタグは、ケース２０と、ケース２０内に設けられたアンテナ６０と、アンテナ６０に対向して配置され、ケース内に設けられた金属板９０１と、アンテナ６０及び金属板９０１の少なくとも一方をケース２０内で移動させ、金属板９０１とアンテナ６０との間の距離Ｄを変化させることにより、無線ＩＣタグ１０の共振特性を変化させる移動機構とを有することを特徴としている。かかる無線ＩＣタグ１０によれば、アンテナ６０と金属板９０１とで構成される等価同調コンデンサのキャパシタンスを距離変更手段により任意に変更できるため、無線ＩＣタグの共振特性を、リーダ／ライタが使用する読取用電波の周波数帯に合わせて変更することが可能となる。
2007116830.tif 000002
【特許請求の範囲】
【請求項１】
ケースと、
前記ケース内に設けられ、対向する金属体に対して移動可能なアンテナと、
前記アンテナをケース内で移動させ、前記金属体とアンテナとの間の距離を変化させることにより、無線ＩＣタグの共振特性を変化させる距離変更手段と、
を備える無線ＩＣタグ。
【請求項２】
前記ケースが前記金属体に対して取り付けられる請求項１に記載の無線ＩＣタグ。
【請求項３】
前記金属体は、前記アンテナに対向して前記ケース内に配置されている請求項１に記載の無線ＩＣタグ。
【請求項４】
前記金属体は、前記ケース内に移動可能に配置されている請求項３に記載の無線ＩＣタグ。
【請求項５】
前記距離変更手段は、前記金属体をケース内で移動させ、前記金属体とアンテナとの間の距離を変化させることにより、無線ＩＣタグの共振特性を変化させる請求項４に記載の無線ＩＣタグ。
【請求項６】
前記金属体は、前記アンテナと対向するように前記ケースの外面上に交換可能に取り付けられる請求項１に記載の無線ＩＣタグ。
【請求項７】
交換可能な金属体が複数種類存在し、これらの各金属体は、複数の異なる周波数帯のいずれかに適した共振特性となるように、面積、厚さ、材質、形状の少なくとも一つが互いに異なっている請求項６に記載の無線ＩＣタグ。
【請求項８】
前記距離変更手段は、ユーザの操作に応じて、複数の異なる周波数帯のいずれかに適した共振特性となるように、前記金属体と前記アンテナとの間の距離を変化させる請求項１に記載の無線ＩＣタグ。
【請求項９】
前記距離変更手段は、
前記アンテナを保持し、前記金属体に対向して移動可能な保持体と、
前記保持体と連結され、前記ケース内に傾斜した状態で配置される傾斜カムと、
前記傾斜カムに沿う複数の位置で前記傾斜カムに対して押圧力を作用させることにより前記保持体を移動させて、前記アンテナと前記金属体との間の距離を変化させる押圧手段と、
前記押圧力に抗する付勢力を前記保持体に作用させる付勢手段と、
を備えている請求項８に記載の無線ＩＣタグ。
【請求項１０】
前記押圧手段は、前記傾斜カムに沿ってスライドする１つのスライド部材から成る請求項９に記載の無線ＩＣタグ。
【請求項１１】
前記押圧手段は、前記傾斜カムに沿って所定の間隔で配置された複数の押圧ボタンから成る請求項９に記載の無線ＩＣタグ。
【請求項１２】
前記距離変更手段は、
前記アンテナを保持し、前記金属体に対向して移動可能な保持体と、
前記保持体と連結されたラックと、
前記ラックと噛み合う歯車を有する回転体と、
を備えている請求項８に記載の無線ＩＣタグ。
【請求項１３】
前記アンテナは、送受信機能、記憶機能、入出力制御機能のうちの少なくとも１つを含む機能を有するＩＣデバイスに接続されている請求項１に記載の無線ＩＣタグ。
【請求項１４】
前記ＩＣデバイスが前記ケース内に配置されている請求項１３に記載の無線ＩＣタグ。
【請求項１５】
前記無線ＩＣタグは、前記金属体と前記アンテナとの間の距離を前記複数の異なる周波数帯のそれぞれに適した距離とするための、前記複数の異なる周波数帯に対応した表示をそれぞれ有している請求項１に記載の無線ＩＣタグ。
【発明の詳細な説明】
【技術分野】
【０００１】
本発明は、無線ＩＣタグに関し、より詳しくは複数の異なる周波数帯の読取用電波によっても読取可能な無線ＩＣタグに関する。
【背景技術】
【０００２】
無線を交信手段として読取り装置との間で情報の更新を行う無線ＩＣタグが普及発展してきている。無線ＩＣタグの用途の重要なものとして、製品入出庫管理、コンテナ、パレット管理などの物流管理がある。すなわち、物品など管理対象物に無線ＩＣタグを貼付して物品の移動状況を追跡管理する用途で無線ＩＣタグを利用することが検討されている。一方、貿易の活発化、企業活動の国際化などにより、複数の国間で物品の移動が盛んに行われるようになっている。【０００３】
このような、無線ＩＣタグは、情報を記憶できるＩＣチップとアンテナで構成されるのが一般的である。無線ＩＣタグは、電波によって、リーダ／ライタと呼ばれる装置とデータを送受信することができる（例えば、特許文献１）。そのうち特に、電波の周波数として３００ＭＨｚ以上を使用し、内部に電源を持たない無線ＩＣタグは、リーダ／ライタとの通信可能距離が長く、価格も比較的廉価であることから、バーコードの置き換え用途などに考えられている（例えば、特許文献２）。【０００４】
無線ＩＣタグと、リーダ／ライタとの通信に使われる電波は、送信電力が大きいほど、無線ＩＣタグとリーダ／ライタとの通信距離が長くなる。また、通信の周波数が低いほど、空気中の伝播損失が小さいため、通信距離は長くなる。ところが、使用できる電波の周波数とその出力レベルに関しては、国毎に定められた規制値があり、それぞれの国で定められた規制値のなかで、最大の効果が得られるような周波数、送信電力が選ばれ、無線ＩＣタグとリーダ／ライタとの通信系が設計される。無線ＩＣタグは、それぞれの国で定められた規制値に応じたインピーダンス特性、共振特性となるように、アンテナを設計している。そのため、従来の無線ＩＣタグは、ある一つの周波数帯のみで整合が図られており、他の周波数帯を用いるリーダ／ライタとは通信が不可能であったり、困難であったりして、無線ＩＣタグの読取精度に問題が生ずる。
【特許文献１】特許２５５３６４１号公報
【特許文献２】特開２００２−２９８１０６号公報
【発明の開示】
【発明が解決しようとする課題】
【０００５】
上述のように、一般に、無線ＩＣタグは、読取用無線周波数に応じた共振特性を有するアンテナを与えられている。そのため、アンテナの共振特性に合わない周波数帯の読取用無線では、無線ＩＣタグの読取ができない。【０００６】
国際的な物流を管理する用途で無線ＩＣタグを用いる場合には、国毎に無線ＩＣタグの読取装置（リーダ／ライタ）に割り当てられる読取用電波の周波数帯が異なる場合があるため、当該国の読取用無線の周波数帯に合わせて無線ＩＣタグを付け替え、交換しなければならず、ある国から別の国に物品を移動させる場合、無線ＩＣタグの付け替えと取り外した無線ＩＣタグの廃棄を行わなければならない。このような、無線ＩＣタグの付け替え、廃棄は省資源化、コスト削減、付け替えに際して発生する虞のある誤りなどの観点から好ましくない。【０００７】
本発明の目的は、読取用無線の周波数帯が異なる複数の国（仕向け国）においても、読取可能な無線ＩＣタグを提供することにある。
【課題を解決するための手段】
【０００８】
上記課題を解決するための手段として、本発明は以下の特徴を有している。
本発明の第１の態様は、金属体に取り付けて用いる無線ＩＣタグとして提案される。【０００９】
この無線ＩＣタグは、ケースと、ケース内に移動可能に設けられたアンテナと、アンテナをケース内で移動させ、金属体とアンテナとの間の距離を変化させることにより無線ＩＣタグの共振特性を変化させる距離変更手段（例えば、移動機構）とを有することを特徴としている。【００１０】
かかる無線ＩＣタグによれば、アンテナと金属体とで構成される等価同調コンデンサのキャパシタンスを距離変更手段により任意に変更できるため、無線ＩＣタグの共振特性を、リーダ／ライタが使用する読取用電波の周波数帯に合わせて変更することが可能となり、その結果どのようなリーダ／ライタであっても読取が可能な無線ＩＣタグとなる。【００１１】
なお、この無線ＩＣタグにおいて、距離変更手段は、ユーザの操作に応じて、複数の異なる周波数帯のいずれかに適した共振特性となるように、金属体とアンテナとの間の距離を変化させるようにしても良い。かかる無線ＩＣタグは、ユーザが仕向け地における規制値（無線周波数帯）に合わせて、無線ＩＣタグの共振特性を変更することが可能となり、無線ＩＣタグを仕向け地に応じて取り替える必要をなくすことができる。【００１２】
また上記の無線ＩＣタグにおいて、金属体とアンテナとの間の距離を複数の異なる周波数帯のそれぞれに適した距離とするための、複数の異なる周波数帯に対応した表示（例えば、日、米、欧などの国名表示）をさらに有しているようにしても良い。かかる表示を目安として、ユーザは迅速且つ簡易にユーザが仕向け地における規制値（無線周波数帯）に合わせて、無線ＩＣタグの共振特性を変更することが可能となる。【００１３】
本発明の第２の態様は、ケースと、ケース内に設けられたアンテナと、アンテナに対向して配置され、ケース内に設けられた金属体（例えば、金属板部）と、アンテナ及び金属体の少なくとも一方をケース内で移動させ、金属体とアンテナとの間の距離を変化させることにより、無線ＩＣタグの共振特性を変化させる距離変更手段（例えば、移動機構）とを有することを特徴としている。【００１４】
かかる無線ＩＣタグによれば、アンテナと金属体とで構成される等価同調コンデンサのキャパシタンスを距離変更手段により任意に変更できるため、無線ＩＣタグの共振特性を、リーダ／ライタが使用する読取用電波の周波数帯に合わせて変更することが可能となり、その結果どのようなリーダ／ライタであっても読取が可能な無線ＩＣタグとなる。【００１５】
上記の無線ＩＣタグにおいて、距離変更手段は、ユーザの操作に応じて、複数の異なる周波数帯のいずれかに適した共振特性となるように、金属体とアンテナとの間の距離を変化させるようにしても良い。かかる無線ＩＣタグは、ユーザが仕向け地における規制値（無線周波数帯）に合わせて、無線ＩＣタグの共振特性を変更することが可能となり、無線ＩＣタグを仕向け地に応じて取り替える必要をなくすことができる。【００１６】
また、上記の無線ＩＣタグは、金属体とアンテナとの間の距離を複数の異なる周波数帯のそれぞれに適した距離とするための、複数の異なる周波数帯に対応した表示（例えば、日、米、欧などの国名表示）をさらに有しているようにしても良い。かかる表示を目安として、ユーザは迅速且つ簡易にユーザが仕向け地における規制値（無線周波数帯）に合わせて、無線ＩＣタグの共振特性を変更することが可能となる。【００１７】
本発明の第３の態様は、金属体を交換可能な無線ＩＣタグとして提案される。【００１８】
この無線ＩＣタグは、ケースと、ケース内に設けられたアンテナと、アンテナに対向するようにケース外面上に取り付けられる金属体であって、複数の異なる周波数帯のいずれかに適した共振特性となるように交換可能な金属体とを有することを特徴としている。【００１９】
かかる無線ＩＣタグによれば、アンテナと金属体とで構成される等価同調コンデンサのキャパシタンスは、金属体を取り替えることにより変更できるため、無線ＩＣタグの共振特性を、リーダ／ライタが使用する読取用電波の周波数帯に合わせて変更することが可能となり、その結果どのようなリーダ／ライタであっても読取が可能な無線ＩＣタグとなる。【００２０】
金属体は、複数の異なる周波数帯のいずれかに適した共振特性となるように面積、厚さ、材質、形状の少なくとも一つが互いに異なるようにしても良い。
【発明の効果】
【００２１】
本発明によれば、読取用無線の周波数帯が異なる環境下で使用される場合、例えば、複数の国（仕向け国）の間で輸送される場合においても、読取可能な無線ＩＣタグとすることができる。
【図面の簡単な説明】
【００２２】
【図１】本発明の第１の実施の形態にかかる無線ＩＣタグの基本的構成を示す図
【図２】本発明の無線ＩＣタグの等価回路を示す図
【図３】本発明の第１の実施の形態にかかる無線ＩＣタグの第１の例の外観斜視図
【図４】本発明の第１の実施の形態にかかる無線ＩＣタグの第１の例の内部構造図
【図５】本発明の第１の実施の形態にかかる無線ＩＣタグの第２の例の外観斜視図
【図６】本発明の第１の実施の形態にかかる無線ＩＣタグの第２の例の内部構造図
【図７】本発明の第１の実施の形態にかかる無線ＩＣタグの第３の例の外観斜視図
【図８】本発明の第１の実施の形態にかかる無線ＩＣタグの第３の例の内部構造図
【図９】本発明の第２の実施の形態にかかる無線ＩＣタグの基本的構成を示す図
【図１０】（Ａ）は、本発明の第３の実施の形態にかかる無線ＩＣタグの基本的構成を示す図、（Ｂ）は、別の金属板に換装された状態の無線ＩＣタグの基本的構成を示す図、（Ｃ）は、さらに別の金属板に換装された状態の無線ＩＣタグの基本的構成を示す図
【符号の説明】
【００２３】
１０…無線ＩＣタグ
２０…ケース
３０…本体
４０…移動機構
５０…ＩＣデバイス
６０…アンテナ
９００…金属板部
１００１Ａ〜１００１Ｃ…金属板
【発明を実施するための最良の形態】
【００２４】
［Ａ．第１の実施の形態］
以下、図面を参照しながら本発明の第１の実施の形態について説明する。
［Ａ．１．基本的構成］
図１は、本実施の形態にかかる無線ＩＣタグの基本的構成を示す図である。図１に示す本実施の形態にかかる無線ＩＣタグ１０は、いわゆるオンメタルと呼ばれる金属に貼り付けても読取り可能な無線ＩＣタグである。【００２５】
無線ＩＣタグ１０は、略箱状の形状を有するケース２０と、ケース２０内部に上下方向（取り付け面に対して略鉛直方向）に移動可能に設けられた本体（保持体）３０と、本体３０をケース２０内において上下に移動させる移動機構（距離変更手段）４０により構成される。本体３０は、ＩＣデバイス５０と、このＩＣデバイス５０に接続されたアンテナ６０とを有している。無線ＩＣタグ１０は、接着シール（図略）などにより容易に剥離しないように金属体７０に貼り付けられる。【００２６】
ケース２０、本体３０は、樹脂、或いは樹脂を含浸させた紙など、適度な強度を持つ材料を成形した部材である。なお、本図では本体３０は、一体成形された一枚の板状部材として描いたが、２つのオーバーレイ・シートの間にアンテナやＩＣデバイスを設けたインレット・シートが挟み込まれているような積層構造を本体３０に採用してもかまわない。【００２７】
移動機構４０は、アンテナ６０と金属体７０との距離ｄを変更する機構であって、距離ｄを変更できる物であればどのような物であってもかまわない。【００２８】
ＩＣデバイス５０は、送受信処理機能、記憶機能及び入出力制御機能を実行するように設計された電子部品であって、読取装置（リーダライタ）との間でデータを送受信するための情報処理を行う機能を有する。【００２９】
アンテナ６０は、読取装置から放射された電磁波を、空間を介して受け取りこれをＩＣデバイス５０に供給し、又はＩＣデバイス５０が生成した信号を、空間を介して読取り装置に送る装置である。【００３０】
本図に示す例では、アンテナ６０は、いわゆるダイポールアンテナであって、平板状の導体である。しかしアンテナ６０がダイポールアンテナに限定される趣旨ではなく、その他の種類のアンテナ、例えばアンテナコイルをアンテナ６０にしてもかまわない。アンテナ６０は、金属体７０と対向して位置することにより、対向電極、すなわちコンデンサ（容量素子）として見ることができる。【００３１】
図２は、無線ＩＣタグ１０の等価回路図である。アンテナ６０及び金属体７０は、コンデンサ及びインダクタとして機能し、いわゆるＬＣ共振回路（直列回路、並列回路のいずれであってもよい）を構成する。その共振周波数Ｆは以下の式で定まる。【００３２】
【数１】
2007116830.tif 000003
（但し、Ｌはインダクタのインダクタンス、Ｃはコンデンサのキャパシタンス）
ここで、アンテナ６０及び金属体７０により構成されるコンデンサのキャパシタンスＣは以下の関係により定まる。【００３３】
【数２】
2007116830.tif 000004
（但し、εoは真空の誘電率、Ｓはアンテナ６０の面積、ｄはアンテナ６０と金属体との距離）
従って、アンテナ６０と金属体７０との間の距離ｄを変えることにより、共振周波数Ｆを変えることができる。アンテナ６０と金属体７０との距離ｄを所望の共振周波数となるように、適宜変更することにより、複数の異なる無線周波数帯の読取用無線を受信する無線ＩＣタグ１０を構成できる。【００３４】
［Ａ．２．移動機構］
［Ａ．２．１．スライドボタンを用いた例］
次に、アンテナ６０と金属体７０との距離ｄを変更させる移動機構４０の具体例について説明する。
図３は、スライドボタン（押圧手段；スライド部材）を用いた移動機構４０を用いた無線ＩＣタグ１０の外観斜視図であり、図４は、図３に示す無線ＩＣタグ１０の内部構造を示す図である。【００３５】
図３に示すように、無線ＩＣタグ１０のケース２０には、スリット３００が形成されており、スリット３００には摺動可能にスライドボタン３０１がはめ込まれている。スリット３００の下方には、仕向け地毎の表示３０２が設けられており、この表示３０２に合わせてスライドボタン３０１を動かすことにより、スライドボタン３０１の位置に応じて前記キャパシタンスＣの値が変更され、その結果無線ＩＣタグ１０の共振特性がスライドボタン３０１により選択された表示３０２に対応して変更される。例えば、図に示す例では、「日」という表示３０２の位置にスライドボタン３０１を合わせると、日本において使用される読取用無線周波数帯に合うように、前記キャパシタンスＣの値が変更され、その結果無線ＩＣタグ１０の共振特性が変更され、「米」という表示３０２の位置にスライドボタン３０１を合わせると、米国において使用される読取用無線周波数帯に合うように、前記キャパシタンスＣの値が変更され、その結果無線ＩＣタグ１０の共振特性が変更される。【００３６】
図４に示すように、スライドボタン３０１は、ケース１０内に突出している。スライドボタン３０１の端部３０１Ｅは、ケース１０内に傾斜した状態で設けられた傾斜カム４００に摺接している。傾斜カム４００は、連結部材４０１によって本体３０に取り付けられている。また、本体３０とケース１０の底面の間にはバネ（付勢手段）４０２が設けられており、本体３０を上方向に常に付勢している。【００３７】
図左方にスライドボタン３０１が位置するほど、端部３０１Ｅにより傾斜カム４００が下方向に押し込まれる深さは深くなり、その結果アンテナ６０と金属体との距離ｄは小さくなり、共振周波数Ｆは低くなる。逆に、図右方向にスライドボタン３０１が位置するほど、端部３０１Ｅにより傾斜カム４００が下方向に押し込まれる深さは浅くなり、その結果アンテナ６０と金属体７０との距離ｄは大きくなり、共振周波数Ｆは高くなる。【００３８】
表示３０２を各仕向け国において使用される読取用無線周波数帯に合わせて位置させることにより、ユーザがスライドボタン３０１を操作することで、無線ＩＣタグ１０を仕向け国に適した共振特性を有するものに簡易且つ迅速に変更することができ、無線ＩＣタグ１０の取り替えを行う必要がなくなる。【００３９】
［Ａ．２．２．選択ボタンを用いた例］
次に、アンテナ６０と金属体７０との距離ｄを変更させる移動機構４０の別の具体例について説明する。
図５は、切り替えボタンを用いた移動機構４０による無線ＩＣタグ１０の外観斜視図であり、図６は、図５に示す無線ＩＣタグ１０の内部構造を示す図である。【００４０】
図５に示すように、この例では、無線ＩＣタグ１０のケース２０には、仕向け国毎の複数の選択ボタン（押圧手段；押圧ボタン）５０１が設けられており、選択ボタン５０１は同時に複数押下することはできないようになっている。いずれか一の選択ボタン５０１が押下されると、先に押下されて押し込まれた状態になっていた選択ボタン５０１は解除され、元の位置（押下される前の位置）に戻される。選択ボタン５０１の下方には、仕向け地を示す表示５０２が設けられており、この表示５０２に対応する選択ボタン５０１を押下することにより、前記キャパシタンスＣの値が変更され、その結果無線ＩＣタグ１０の共振特性が選択ボタン５０１により選択された表示５０２に対応して変更される。例えば、図に示す例では、「日」という表示５０２に対応する選択ボタン５０１を押下すると、日本において使用される読取用無線周波数帯に合うように前記キャパシタンスＣの値が変更され、その結果無線ＩＣタグ１０の共振特性が変更され、また「米」という表示５０２に対応する選択ボタン５０１を押下すると、米国において使用される読取用無線周波数帯に合うように、前記キャパシタンスＣの値が変更され、その結果無線ＩＣタグ１０の共振特性が変更される。【００４１】
図６に示すように、各選択ボタン５０１はケース１０内に突出している端部５０１Ｅを有している。端部５０１Ｅがケース１０内に突出している長さは選択ボタン５０１毎に異なっており、端部５０１Ｅがケース１０内に突出している長さが長いほど、傾斜カム４００を深く押し下げることができるようになっている。選択ボタン５０１の端部３０１Ｅは、ケース１０内に設けられた傾斜カム４００に接している。なお、傾斜カム４００，連結部材４０１，本体３０，バネ４０２については、図３，図４に示した例と同様の構造、機能を有するため、ここではこれらの説明は省略する。【００４２】
端部５０１Ｅがケース１０内に突出している長さが長い選択ボタン５０１が押下されるほど、端部３０１Ｅにより傾斜カム４００が下方向に押し込まれる深さは深くなり、その結果アンテナ６０と金属体７０との距離ｄは小さくなり、共振周波数Ｆは低くなる。逆に、端部５０１Ｅがケース１０内に突出している長さが短い選択ボタン５０１が押下されると、端部３０１Ｅにより傾斜カム４００が下方向に押し込まれる深さは浅くなり、その結果アンテナ６０と金属体７０との距離ｄは大きくなり、共振周波数Ｆは高くなる。【００４３】
表示５０２を各仕向け国において使用される読取用無線周波数帯に合わせて位置させることにより、ユーザが選択ボタン５０１のいずれかを押下することで、無線ＩＣタグ１０を仕向け国に適した共振特性を有するものに簡易且つ迅速に変更することができ、無線ＩＣタグ１０の取り替えを行う必要は生じない。【００４４】
［Ａ．２．３．回転ダイヤルを用いた例］
次に、アンテナ６０と金属体７０との距離ｄを変更させる移動機構４０のさらに別の具体例について説明する。
図７は、回転ダイヤルを用いた移動機構４０による無線ＩＣタグ１０の外観斜視図であり、図８は、図７に示す無線ＩＣタグ１０の内部構造を示す図である。【００４５】
図７に示すように、この例では、無線ＩＣタグ１０のケース２０には、回動自在に設けられた回転ダイヤル（回転体）７００が設けられている。回転ダイヤル７００の表面には、仕向け地を示す表示７０１が設けられている。例えば、図に示す例では、「日」という表示７０１が所定の位置に停止するように回転ダイヤル７００を回転させると、日本において使用される読取用無線周波数帯に合うように前記キャパシタンスＣの値が変更され、その結果無線ＩＣタグ１０の共振特性が変更され、また「米」という表示７０１が所定の位置に停止するように回転ダイヤル７００を回転させると、米国において使用される読取用無線周波数帯に合うように、前記キャパシタンスＣの値が変更され、その結果無線ＩＣタグ１０の共振特性が変更される。【００４６】
図８に示すように、回転ダイヤル７００には同軸に歯車８０１が設けられており、歯車８０１は、ラック８０２とかみ合わせられている。ラック８０２は歯車８０１の回転に応じて上下に移動するようになっており、ラック８０２の一端はケース２０内に摺動可能に設けられた本体３０に取り付けられている。本体３０は、ラック８０２の上下動につれて、ケース２０内で上下に移動する。すなわち、回転ダイヤル７００の回転に応じて、本体３０は、ケース２０内で上下に移動する。【００４７】
ラック８０２が下方向に移動するほど、アンテナ６０と金属体７０との距離ｄは小さくなり、共振周波数Ｆは低くなる。逆に、ラック８０２が上方向に移動するほど、アンテナ６０と金属体との距離ｄは大きくなり、共振周波数Ｆは高くなる。【００４８】
表示７０１を各仕向け国において使用される読取用無線周波数帯に合わせて、回転ダイヤル７００上に位置させることにより、ユーザが仕向け国に合わせて回転ダイヤルを回転させることで、無線ＩＣタグ１０を仕向け国に適した共振特性を有するものに簡易且つ迅速に変更することができ、無線ＩＣタグ１０の取り替えを行う必要はなくなる。
［Ｂ．第２の実施の形態］
次に、本発明の第２の実施の形態について説明する。本発明の第２の実施の形態は、金属以外のものに貼り付けても使用可能な、読取用無線の周波数帯が異なる複数の国（仕向け国）においても、読取可能な無線ＩＣタグである。【００４９】
［Ｂ．１．基本的構成］
図９は、本実施の形態にかかる無線ＩＣタグの基本的構成を示す図である。【００５０】
無線ＩＣタグ１０は、略箱状の形状を有するケース２０と、ケース２０内部に上下方向（取り付け面に対して略鉛直方向）に移動可能に設けられた本体３０と、本体３０をケース２０内において上下に移動させる移動機構４０と、ケース２０内部に上下方向（取り付け面に対して略鉛直方向）に移動可能に設けられた金属板部９００により構成される。本体３０は、ＩＣデバイス５０と、このＩＣデバイス５０に接続されたアンテナ６０とを有している。無線ＩＣタグ１０は、接着シール（図略）などにより容易に剥離しないように対象物９０に貼り付けられる。【００５１】
ケース２０、本体３０、移動機構４０、ＩＣデバイス５０，アンテナ６０は、前述の第１の実施の例のものと同様なので、これらの詳細な説明は省略する。【００５２】
金属板部９００は、アンテナ６０に対向して配置される金属板（金属体）９０１を有している板状の部材であって、本体３０とは別個にケース２０内を上下方向に摺動可能に設けられた部材である。本実施の形態では、アンテナ６０及び金属板９０１が、コンデンサ及びインダクタとして機能し、いわゆるＬＣ共振回路を構成する。本体３０及び／又は金属板部９００を移動機構４０により移動させることにより、アンテナ６０と金属板９０１との間の距離Ｄを所望量変化させ、無線ＩＣタグ１０の共振周波数Ｆを変えることができる。すなわち、アンテナ６０と金属板９０１との距離Ｄを所望の共振周波数となるように、適宜変更することにより、複数の異なる無線周波数帯の読取用無線を受信する無線ＩＣタグ１０を構成できる。【００５３】
なお、本体３０及び金属板部９００の少なくとも一方が移動可能であれば、本実施の形態は成立し、他方を固定して移動させない構成としてもかまわない。
［Ｃ．第３の実施の形態］
次に、本発明の第３の実施の形態について説明する。
［Ｃ．１．基本的構成］
図１０（Ａ）は、本発明の第３の実施の形態にかかる無線ＩＣタグの基本的構成を示す図である。
無線ＩＣタグ１０は、略箱状の形状を有するケース２０と、ケース２０内部に設けられた本体３０と、ケース２０上面又は下面に交換可能に取り付けられる金属板（金属体）１００１Ａを有する。第１及び第２の実施の形態と異なり、本体３０はケース２０内で移動することはなく、そのため移動機構４０は有さない。【００５４】
無線ＩＣタグ１０は、ケース２０上面又は下面に交換可能に取り付けられる金属板１００１Ａを有している。この金属板１００１Ａは、仕向け国の読取用無線周波数帯に合わせて交換可能である。アンテナ６０及びこの金属板１００１Ａとにより構成されるＬＣ共振回路の共振特性が仕向け国の読取用無線周波数帯に合致するように、金属板１００１Ａの材質（銅、鉄、アルミなど）、面積、厚さ、形状などが決定される。【００５５】
図１０（Ｂ）は、無線ＩＣタグ１０に取り付ける金属板１００１Ａが、より厚さの薄い金属板１００１Ｂに換装された後の状態を示している。これにより、図１０（Ａ）の状態の共振特性とは異なる共振特性を、無線ＩＣタグ１０は有することになる。【００５６】
図１０（Ｃ）は、無線ＩＣタグ１０に取り付ける金属板１００１Ａが、より面積の大きい金属板１００１Ｃに換装された後の状態を示している。これにより、図１０（Ａ）の状態の共振特性とは異なる共振特性を、無線ＩＣタグ１０は有することになる。【００５７】
このように、仕向け国の仕向け国の読取用無線周波数帯に合致するように材質（銅、鉄、アルミなど）、面積、厚さ、形状を変えた複数の金属板１００１をそろえておき、仕向け国に合った金属板に換装することにより、無線ＩＣタグ１０を仕向け国に適した共振特性を有するものに簡易且つ迅速に変更することができ、無線ＩＣタグ１０の取り替えを行う必要をなくすことができる。
【図１】
2007116830.tif 000005
【図２】
2007116830.tif 000006
【図３】
2007116830.tif 000007
【図４】
2007116830.tif 000008
【図５】
2007116830.tif 000009
【図６】
2007116830.tif 000010
【図７】
2007116830.tif 000011
【図８】
2007116830.tif 000012
【図９】
2007116830.tif 000013
【図１０】
2007116830.tif 000014
【国際調査報告】
2007116830.tif 000015
2007116830.tif 000016
2007116830.tif 000017
2007116830.tif 000018